(57)【特許請求の範囲】
【請求項１】
通水管が挿入される受口を有する接続具本体と、
前記接続具本体に取り付けられ、前記受口内に挿入された前記通水管の抜脱を防止する抜脱防止体とを備え、
前記受口には、その受口内に挿入された前記通水管の外周面に密接して止水する止水部材が設けられており、
前記抜脱防止体は、前記受口内に挿入された前記通水管の外周面に向かうようにして互いに近接し、かつ、着脱可能に締結される複数の分割体によって構成され、
前記各分割体の内側には、それら分割体が互いに近接して締結されることで、前記受口内に挿入された前記通水管の外周面に係合して、その通水管の抜脱を防止する係止爪が設けられて、前記止水部材と前記係止爪とは、前記通水管の先端側からその反対側に向かって順に並び、かつ、
前記各分割体の内側には、前記受口内に挿入された前記通水管の外周面に当接して、前記通水管に対する前記係止爪の食い込みを所定量に規制する規制部が設けられていることを特徴とする、通水管の接続具。
【請求項２】
通水管が挿入される受口を有する接続具本体と、
前記受口内に挿入された前記通水管の抜脱を防止する抜脱防止体とを備え、
前記受口には、その受口内に挿入された前記通水管の外周面に密接して止水する止水部材が設けられており、
前記抜脱防止体は、前記受口内に挿入された前記通水管の外周面を挟むように相対的に近接し、かつ、着脱可能に締結される複数の分割体によって構成され、それら分割体の内の一つの分割体は、前記接続具本体から延設されるようにしてその接続具本体と一体に形成されており、
前記各分割体の内側には、それら分割体が相対的に近接して締結されることで、前記受口内に挿入された前記通水管の外周面に係合して、その通水管の抜脱を防止する係止爪が設けられて、前記止水部材と前記係止爪とは、前記通水管の先端側からその反対側に向かって順に並び、かつ、
前記各分割体の内側には、前記受口内に挿入された前記通水管の外周面に当接して、前記通水管に対する前記係止爪の食い込みを所定量に規制する規制部が設けられていることを特徴とする、通水管の接続具。
【発明の詳細な説明】
【技術分野】
【０００１】
この発明は、通水管を強固に固定することができる、通水管の接続具に関するものである。
【背景技術】
【０００２】
従来、通水管を接続する接続具として、図２１に示されるものがあった（例えば、特許文献１参照）。この接続具２１は、通水管２０を挿入する挿入部２２に、止水のためのシールリング２３、２３と、通水管２０の抜脱を防止するための係止リング２４、２４とが設けられていた。ここで、シールリング２３、２３は、挿入部２２の奥側に設けられ、そして、係止リング２４、２４は、挿入部２２の入り口側に設けられていた。また、この係止リング２４、２４は、接続具２１の本体部２１ａと、その本体部２１ａにねじ込まれる固定リング２１ｂとに挟み込まれることで、挿入部２２に固定されていた。なお、シールリング２３と係止リング２４とが、このような順で並ぶのは、逆にすると、シールリング２３に、通水管２０の曲げや捩れによる負荷がかかり、水漏れの原因となる虞があるからであった。
【０００３】
【特許文献１】特開２００２−１４７６６８号公報
【発明の開示】
【発明が解決しようとする課題】
【０００４】
ところで、前記従来の接続具２１にあっては、係止リング２４があるものの、通水管２０を挿入部２２に挿入するのみであったため、その通水管２０を接続具２１に強固に固定することが困難であった。しかも、通水管２０を挿入部２２に挿入していく際に、その通水管２０には、係止リング２４の爪によって、通水管２０の先端から長手方向に延びるように、傷が付いてしまい、シールリング２３による止水が不完全となる虞があった。また、一度、通水管２０を、接続具２１の挿入部２２に挿入すると、係止リング２４の爪が、通水管２０に食い付いてしまうため、通水管２０を接続具２１から取り外す必要が生じた場合であっても、係止リング２４から通水管２０を抜き取ることが困難であった。
【０００５】
この発明は、上記した従来の欠点を解決するためになされたものであり、その目的とするところは、通水管を強固に固定することができる、通水管の接続具を提供することにある。
【０００６】
また、他の目的は、通水管に長手方向の傷が付くのを防止することができる、通水管の接続具を提供することにある。
【０００７】
さらに、他の目的は、通水管の取り外しを容易にした、通水管の接続具を提供することにある。
【課題を解決するための手段】
【０００８】
この発明に係る通水管の接続具は、前記目的を達成するために、次の構成からなる。すなわち、
請求項１に記載の発明に係る通水管の接続具は、通水管が挿入される受口を有する接続具本体と、前記接続具本体に取り付けられ、前記受口内に挿入された前記通水管の抜脱を防止する抜脱防止体とを備える。ここで、前記受口には、その受口内に挿入された前記通水管の外周面に密接して止水する止水部材が設けられている。また、前記抜脱防止体は、前記受口内に挿入された前記通水管の外周面に向かうようにして互いに近接し、かつ、着脱可能に締結される複数の分割体によって構成されている。そして、前記各分割体の内側には、それら分割体が互いに近接して締結されることで、前記受口内に挿入された前記通水管の外周面に係合して、その通水管の抜脱を防止する係止爪が設けられて、前記止水部材と前記係止爪とは、前記通水管の先端側からその反対側に向かって順に並んでいる。さらに、前記各分割体の内側には、前記受口内に挿入された前記通水管の外周面に当接して、前記通水管に対する前記係止爪の食い込みを所定量に規制する規制部が設けられている。
【０００９】
この接続具によると、抜脱防止体は、受口内に挿入された通水管の外周面に向かうようにして互いに近接する複数の分割体によって構成されている。そして、それら分割体が互いに近接して締結されることで、係止爪が、接続具本体の受口内に挿入された通水管の外周面に係合して、その通水管の抜脱を防止する。すなわち、係止爪が設けられた複数の分割体が近接することで、それら分割体が通水管の外周面を強く挟み、通水管は、接続具に強固に固定される。その上、係止爪が在るところに通水管が挿入される場合とは異なり、通水管に長手方向の傷が付くことが防止される。しかも、各分割体の内側には、通水管に対する係止爪の食い込みを所定量に規制するための規制部が設けられているので、通水管に、横方向等の外力が加わった場合であっても、その通水管の動きが、規制部により止められて、係止爪が、通水管に必要以上に食い込んだり、その食い込みが浅くなったりすることを防ぐことができる。そして、通水管を接続具から取り外す際には、複数の分割体を、通水管の外周面から引き離すようにして、互いに遠ざけることで、分割体に設けられた係止爪が、通水管から外れる。そこで、通水管を、接続具本体の受口から抜き取れば、この通水管を取り外すことができる。
【００１０】
【００１１】
【００１２】
【００１３】
また、請求項２に記載の発明に係る通水管の接続具は、通水管が挿入される受口を有する接続具本体と、前記受口内に挿入された前記通水管の抜脱を防止する抜脱防止体とを備える。ここで、前記受口には、その受口内に挿入された前記通水管の外周面に密接して止水する止水部材が設けられている。また、前記抜脱防止体は、前記受口内に挿入された前記通水管の外周面を挟むように相対的に近接し、かつ、着脱可能に締結される複数の分割体によって構成され、それら分割体の内の一つの分割体は、前記接続具本体から延設されるようにしてその接続具本体と一体に形成されている。そして、前記各分割体の内側には、それら分割体が相対的に近接して締結されることで、前記受口内に挿入された前記通水管の外周面に係合して、その通水管の抜脱を防止する係止爪が設けられて、前記止水部材と前記係止爪とは、前記通水管の先端側からその反対側に向かって順に並んでいる。さらに、前記各分割体の内側には、前記受口内に挿入された前記通水管の外周面に当接して、前記通水管に対する前記係止爪の食い込みを所定量に規制する規制部が設けられている。
【００１４】
この接続具によると、抜脱防止体は、受口内に挿入された通水管の外周面を挟むように相対的に近接する複数の分割体によって構成されている。そして、それら分割体が相対的に近接して締結されることで、係止爪が、接続具本体の受口内に挿入された通水管の外周面に係合して、その通水管の抜脱を防止する。すなわち、係止爪が設けられた複数の分割体が近接することで、それら分割体が通水管の外周面を強く挟み、通水管は、接続具に強固に固定される。しかも、各分割体の内側には、通水管に対する係止爪の食い込みを所定量に規制するための規制部が設けられているので、通水管に、横方向等の外力が加わった場合であっても、その通水管の動きが、規制部により止められて、係止爪が、通水管に必要以上に食い込んだり、その食い込みが浅くなったりすることを防ぐことができる。
【００１５】
【００１６】
【００１７】
【００１８】
【００１９】
【００２０】
【００２１】
【００２２】
【００２３】
【００２４】
【００２５】
【発明の効果】
【００２６】
この発明に係る通水管の接続具によれば、次の効果がある。
【００２７】
請求項１に記載された通水管の接続具によれば、抜脱防止体が複数の分割体によって構成されることで、それら分割体が通水管の外周面を強く挟み、通水管を接続具に強固に固定することができるとともに、通水管に長手方向の傷が付くのを防止することができ、しかも、通水管の取り外しを容易に行うことができる。その上、通水管に、横方向等の外力が加わった場合であっても、その通水管の動きが、規制部により止められて、係止爪が、通水管に必要以上に食い込んだり、その食い込みが浅くなったりすることを防ぐことができる。
【００２８】
また、請求項２に記載された通水管の接続具によれば、抜脱防止体が複数の分割体によって構成されることで、それら分割体が通水管の外周面を強く挟み、通水管を接続具に強固に固定することができる。その上、通水管に、横方向等の外力が加わった場合であっても、その通水管の動きが、規制部により止められて、係止爪が、通水管に必要以上に食い込んだり、その食い込みが浅くなったりすることを防ぐことができる。
【００２９】
【００３０】
【発明を実施するための最良の形態】
【００３１】
以下、この発明に係る通水管の接続具を実施するための最良の形態を図面に基づいて説明する。
【００３２】
図１ないし図１０は、本発明の一実施の形態を示す。図中符号１は、配管材としての通水管であり、例えば、架橋ポリエチレンとかポリブテン等の合成樹脂管からなる。２は、前記通水管１の接続具である。
【００３３】
この接続具２は、接続具本体３と抜脱防止体４とを備えている（図９参照）。ここで、接続具本体３は、通水管１が挿入される受口３ａを有している（図１、図６参照）。この受口３ａには、その受口３ａ内に挿入された通水管１の外周面に密接して止水する止水部材としての、Ｏリング等のパッキン５が設けられている。具体的には、接続具本体３は、例えば合成樹脂製の、本体部６、スペーサー７およびストッパー８と、前記パッキン５からなる。本体部６は、筒状に形成されている。そして、この本体部６の各側の筒部６ａの先端部分には、鍔部６ｂが設けられている。また、前記筒部６ａ内は、手前ほど径大となるよう、奥側には、第１の段部６ｃが形成され、手前側には、第２の段部６ｄが形成されている。スペーサー７は、リング状に形成されており、二つのパッキン５、５を仕切るものである。ストッパー８は、筒状に形成され、その一端に鍔部８ａが設けられている。そこで、本体部６の各側の筒部６ａ内であって、前記第２の段部６ｄよりも手前側に、パッキン５、スペーサー７、さらにパッキン５が順に挿入されている。そして、最後に、筒部６ａ内に、ストッパー８が、その鍔部８ａとは反対側を先にして挿入される。こうして、本体部６の筒部６ａ、パッキン５、５、スペーサー７およびストッパー８によって、前記受口３ａが形成される。
【００３４】
また、接続具本体３は、掛止部３ｂを備えている。この掛止部３ｂは、接続具本体３に鍔状に突設されたフランジ部３０１からなる。そして、図示実施の形態においては、このフランジ部３０１は、前記本体部６に設けられた鍔部６ｂと、前記ストッパー８に設けられた鍔部８ａとから構成されている。
【００３５】
一方、抜脱防止体４は、接続具本体３に取り付けられ、前記受口３ａ内に挿入された通水管１の抜脱を防止するものである。この抜脱防止体４は、受口３ａ内に挿入された通水管１の外周面に向かうようにして互いに近接し、かつ、着脱可能に締結される複数の分割体９、９（図示実施の形態においては相対峙する一対の分割体９、９）によって構成される（図９、図１０参照）。特に、これら複数の分割体９、９の締結にあたって、複数の分割体９、９は、通水管１の外周面に向かうよう、通水管１の軸と直交する方向に直状に動き、互いに近接する。そして、各分割体９の内側には、それら分割体９、９が互いに近接して締結されることで、受口３ａ内に挿入された通水管１の外周面に係合して、その通水管１の抜脱を防止する係止爪９ａが設けられている。こうして、前記パッキン５と係止爪９ａとは、通水管１の先端側からその反対側に向かって順に並ぶこととなる。ここで、各分割体９の係止爪９ａは、受口３ａ内に挿入された通水管１の軸方向に複数並んで設けられている。また、各分割体９の内側には、受口３ａ内に挿入された通水管１の外周面に当接して（図示実施の形態においては、ぴったりと当接して）、通水管１に対する係止爪９ａの食い込みを所定量に規制する規制部９ｂが設けられている。
【００３６】
具体的には、抜脱防止体４を構成する二つの分割体９、９は、共通の部品からなり、それらの一方が反転されて、互いに組み付けられる。ここで、分割体９は、図２ないし図５に示すように、例えば合成樹脂製の分割体本体１０と、その分割体本体１０に組み付けられるとともに前記係止爪９ａを有する、例えば金属製の係止部材１１と、ナット１２とからなる。分割体本体１０は、例えば縦断面略凹状の形状をしており、互いに合わさる合せ面１０ａに、通水管１が通ることとなる半円状の凹溝１０ｂが形成されている。また、この凹溝１０ｂには、前記係止部材１１を収容するための収容凹部１０ｃが形成されている。そして、凹溝１０ｂの溝面は、通水管１の外周面に沿うよう円弧状に形成されており、この凹溝１０ｂの溝面は、前記規制部９ｂとして機能する。詳細には、この凹溝１０ｂの溝面における、収容凹部１０ｃを周方向において挟む両側が、前記規制部９ｂとしての第１の規制部９１１となっている。つまり、第１の規制部９１１は、収容凹部１０ｃ、すなわち係止部材１１（係止爪９ａ、９ａ）に対して、通水管１の周方向側に設けられる。そして、凹溝１０ｂの溝面における、収容凹部１０ｃ、すなわち係止部材１１（係止爪９ａ、９ａ）に対して、通水管１の先端側からその反対側に向かった側が、換言すれば、反止水部材側（反パッキン５側）が、前記規制部９ｂとしての第２の規制部９１２となっている。
【００３７】
また、分割体本体１０には、分割体９を締結するためのネジ部材１３、１３が挿入される、第１および第２の孔１０ｄ、１０ｅが明けられている。そして、第１の孔１０ｄには、ネジ部材１３の頭部が収容される第１の収容部１０ｆが連通し、また、第２の孔１０ｅには、前記ナット１２が収容される第２の収容部１０ｇが連通するように設けられている。こうして、ネジ部材１３は、一方の分割体本体１０（分割体９）の、第１の収容部１０ｆ、第１の孔１０ｄ、そして、他方の分割体本体１０（分割体９）の、第２の孔１０ｅに挿入されて、ナット１２にねじ込まれる（図７参照）。
【００３８】
係止部材１１は、図２および図３に示すように、板材からなり、その板材の一部が通水管１側に切り起こされるように曲げられて前記係止爪９ａ、９ａが形成されている。そして、この係止爪９ａは、通水管１を引き抜こうとする方向とは反対側に傾斜して突設されており、通水管１を引き抜こうと引っ張ると、係止爪９ａが、通水管１側にさらに起こされてその通水管１に食い込むようになっている（図９参照）。また、この係止爪９ａは、通水管１の周方向に二つ、そして、通水管１の軸方向に三つ並んで、計六つ設けられている。
【００３９】
また、分割体９は、被掛止部９ｃを備えている。そして、この被掛止部９ｃは、接続具本体３のフランジ部３０１（掛止部３ｂ）に嵌まる凹部９０１からなる。図示実施の形態においては、この凹部９０１は、分割体本体１０の凹溝１０ｂの一方側に設けられている。そこで、分割体９、９が、接続具本体３を挟むようにして互いに近接して、ネジ部材１３、１３により締結されることで、凹部９０１（被掛止部９ｃ）が、接続具本体３のフランジ部３０１（掛止部３ｂ）に掛け止められて、それら分割体９、９は、接続具本体３に取り付けられる。
【００４０】
また、分割体９には、各分割体９が互いに近接する前には突出しており、互いに近接することに連動して引き込まれる表示片９ｄが設けられている。図示実施の形態においては、この表示片９ｄは、分割体本体１０に設けられている。この表示片９ｄは、分割体本体１０の、前記合せ面１０ａとは反対側から、その合せ面１０ａ側に延出し、かつ、その合せ面１０ａを越えて延出された被案内部９ｅを備えている。そして、この表示片９ｄは、その側部が、分割体本体１０の側面１０ｈから突出している。また、分割体本体１０は、前記被案内部９ｅを受け入れる孔１０ｉが、凹溝１０ｂを挟んで、前記表示片９ｄとは反対側に位置するように明けられている。そして、この孔１０ｉに、表示片９ｄを、分割体本体１０の側面１０ｈから突出しないように引き込むよう案内する、案内面１０ｊが設けられている。こうして、分割体９、９を互いに近接させると、一方の分割体９の表示片９ｄが、他方の分割体９の案内面１０ｊに案内されて、側面１０ｈから突出しないように引き込まれることとなる。
【００４１】
この接続具２に通水管１を接続する接続方法は、始めに、図６に示すように、接続具本体３の受口３ａに、通水管１を挿入する。その後、図７ないし図１０に示すように、各分割体９を、互いに近接させて締結するようにして、接続具本体３に取り付けて、分割体９に設けられた係止爪９ａ、９ａを通水管１の外周面に係合させる。こうして、通水管１は、この接続具２に接続される。なお、図中符号１４は、通水管１の潰れを防止するためのコア部材である。また、図６ないし図１０においては、一方の受口３ａにのみ通水管１を接続しているが、反対側の受口３ａにおいても同様に通水管１が接続される。もっとも、接続具本体３が、例えばヘッダーとか水栓等と一体となって、反対側の受口３ａが設けられない場合もある。
【００４２】
次に、以上の構成からなる通水管１の接続具２、および通水管１の接続方法の作用効果について説明する。この接続具２は、抜脱防止体４が、受口３ａ内に挿入された通水管１の外周面に向かうようにして互いに近接する複数（図示実施の形態においては二つ）の分割体９、９によって構成されている。そして、それら分割体９、９が互いに近接して締結されることで、係止爪９ａ、９ａが、接続具本体３の受口３ａ内に挿入された通水管１の外周面に係合して、その通水管１の抜脱を防止する。すなわち、係止爪９ａ、９ａが設けられた複数の分割体９、９が近接することで、それら分割体９、９が通水管１の外周面を強く挟み、通水管１は、接続具２に強固に固定される。その上、係止爪９ａが在るところに通水管１が挿入される場合とは異なり、通水管１に長手方向の傷が付くことが防止される。しかも、複数の分割体９、９が、締結の際に、通水管１の外周面に向かって直状に動くことで、係止爪９ａ、９ａが、通水管１に容易に係合することができる。そして、通水管１を接続具２から取り外す際には、複数の分割体９、９を、通水管１の外周面から引き離すようにして、互いに遠ざけることで、分割体９、９に設けられた係止爪９ａ、９ａが、通水管１から外れる。そこで、通水管１を、接続具本体３の受口３ａから抜き取れば、この通水管１を取り外すことができる。こうして、抜脱防止体４が複数の分割体９、９によって構成されることで、それら分割体９、９が通水管１の外周面を強く挟み、通水管１を接続具２に強固に固定することができるとともに、通水管１に長手方向の傷が付くのを防止することができ、しかも、通水管１の取り外しを容易に行なうことができる。
【００４３】
また、各分割体９の係止爪９ａは、通水管１の軸方向に複数並んで（図示実施の形態においては、三列）設けられており、これら係止爪９ａ、９ａによって、通水管１の抜脱に抗する強度を高めることができる。しかも、このように係止爪９ａを複数設けた場合であっても、従来のような係止爪９ａが在るところに通水管１が挿入される場合と異なり、通水管１に長手方向の傷が付くようなこともない。そして、各分割体９の内側には、通水管１に対する係止爪９ａの食い込みを所定量に規制するための規制部９ｂが設けられているので、通水管１に、横方向等の外力が加わった場合であっても、その通水管１の動きが、規制部９ｂにより止められる。したがって、係止爪９ａが、通水管１に必要以上に食い込んだり、その食い込みが浅くなったりすることを防ぐことができる。ここで、規制部９ｂは、係止部材１１（係止爪９ａ）に対して、通水管１の周方向側に設けられた第１の規制部９１１とか、通水管１の先端側からその反対側に向かった側に設けられた第２の規制部９１２とかからなっている。このように規制部９ｂを設けることで、この規制部９ｂが、通水管１の外周面を的確かつ強固に挟み込んで、通水管１の曲がりとか捩れ等に抵抗し、パッキン５にも係止爪９ａにも、通水管１の曲がりとか捩れ等による負荷がかかるのを防止することができる。特に、規制部９ｂが、第２の規制部９１２のように、係止部材１１（係止爪９ａ）に対して、通水管１の先端側からその反対側に向かった側に設けられる場合には、通水管１の先端側から順に、パッキン５と係止部材１１（係止爪９ａ）と規制部９ｂとが並ぶこととなり、通水管１を直状に保つことが容易となる。
【００４４】
また、分割体９、９を近接させて締結した際には、分割体９、９の凹部９０１（被掛止部９ｃ）が、接続具本体３のフランジ部３０１（掛止部３ｂ）に掛け止められ、分割体９、９は、接続具本体３に確実に取り付けられる。しかも、分割体９に設けられて側面１０ｈから突出していた表示片９ｄが、各分割体９、９が互いに近接することで引き込まれる。このため、この表示片９ｄの突出の有無によって、分割体９、９の互いの近接を確認することができ、これら分割体９、９の締結忘れを防ぐことができる。
【００４５】
なお、本発明は、上述した実施の形態に限定されるわけではなく、その他種々の変更が可能である。例えば、抜脱防止体４を構成する二つの分割体９、９は、共通の部品からなるが、それぞれが専用の部品、すなわち形状とか構造が異なる部品からなっていてもよい。また、分割体９における規制部９ｂは、第１の規制部９１１と第２の規制部９１２とからなるが、いずれか一方の規制部のみからなっていても構わない。
【００４６】
また、図１１ないし図１４に示す他の実施の形態ように、分割体本体１０は、係止部材１１が、通水管１の先端とは反対側へ移動すると、その係止部材１１を通水管１の外周面に向かって動くように案内するガイド面１０ｋを有してもよい（図１１参照）。ここで、前述した一実施の形態と比較して、機能を同じくする部位には同一の符号を付し、以下に異なる部分を主に説明する。係止部材１１は、例えば合成樹脂製であって、通水管１の外周面に対向する一の面１１ａに、係止爪９ａ、９ａが突出して形成されている。そして、係止部材１１は、一の面１１ａとは反対側に位置して、分割体本体１０の傾斜する前記ガイド面１０ｋに当接する他の面１１ｂが、そのガイド面１０ｋに沿うように傾斜して形成されている。このように、分割体本体１０および係止部材１１を形成することで、通水管１が、接続具本体３の受口３ａから抜け出ようとすると、その通水管１とともに移動する係止部材１１が、分割体本体１０に設けられたガイド面１０ｋに案内されて通水管１の外周面に向かって動く。こうして、通水管１への係止爪９ａ、９ａの食い込みが的確となり、通水管１が受口３ａから抜け出るのを確実に防止することができる。なお、係止部材１１における一の面１１ａは、通水管１の外周面に沿うよう円弧状に形成されており、他の面１１ｂは、ガイド面１０ｋと同様に平面状に形成されている。そして、この係止部材１１の一の面１１ａは、規制部９ｂとして機能し、この一の面１１ａからなる規制部９ｂは、係止爪９ａ、９ａに対して、通水管１の周方向側（図示実施の形態においては、周方向に並ぶ係止爪９ａ、９ａの間）に設けられた第３の規制部９１３（図１３参照）、および、通水管１の先端側からその反対側に向かった側、換言すれば、反パッキン５側に設けられた第４の規制部９１４（図１１参照）を有している。そこで、これら第３の規制部９１３とか第４の規制部９１４、あるいは、分割体本体１０における、第１の規制部９１１とか第２の規制部９１２とかが、通水管１の外周面を的確かつ強固に挟み込んで、通水管１の曲がりとか捩れ等に抵抗し、パッキン５にも係止爪９ａにも、通水管１の曲がりとか捩れ等による負荷がかかるのを防止することができる。
【００４７】
そして、この実施の形態においては、分割体本体１０には、ガイド面１０ｋに通孔１０ｍが明けられている。そして、係止部材１１には、他の面１１ｂから突設された突出片１１ｃが設けられている。そして、この突出片１１ｃが分割体本体１０の通孔１０ｍに挿入され、この突出片１１ｃに設けられた係合突部１１ｄが、通孔１０ｍの周縁に係合する（図１２参照）。こうして、係止部材１１は、分割体本体１０に組み付けられるが、このとき、係止部材１１の、通水管１の長手方向への移動を妨げないように、通孔１０ｍは、突出片１１ｃにおける通孔１０ｍ内に留まる部位よりも長く形成されている（図１１参照）。そして、このように、係止部材１１は、係合突部１１ｄによって分割体本体１０に対して抜け止めされ、通水管１を接続具本体３から抜くために分割体本体１０、１０を互いに離した際には、分割体本体１０と係止部材１１とは一体となって通水管１から離れる。したがって、通水管１に食い込んだ係止爪９ａを、通水管１から容易に離すことができる。
【００４８】
また、この実施の形態においては、図１２に示すように、一方の分割体本体１０に、表示片９ｄ、９ｄおよび被案内部９ｅ、９ｅが設けられ、他方の分割体本体１０に、対応する孔１０ｉ、１０ｉおよび案内面１０ｊ、１０ｊが設けられている。そして、図１３に示すように、分割体９を締結するためのネジ部材１３が挿入される、第１および第２の孔１０ｄ、１０ｅ、そして、ネジ部材１３の頭部が収容される第１の収容部１０ｆ、そのネジ部材１３と螺合するナット１２が収容される第２の収容部１０ｇにあっては、一方の分割体本体１０に、第２の孔１０ｅ、１０ｅおよび第２の収容部１０ｇ、１０ｇが設けられ、他方の分割体本体１０に、第１の孔１０ｄ、１０ｄおよび第１の収容部１０ｆ、１０ｆが設けられている。また、図１４に示すように、一方の分割体９（詳細には、分割体本体１０）には、抜脱防止体４、ひいては接続具２を壁等に取付固定するための取付部１０ｎが設けられている。そして、この取付部１０ｎには、取付固定のために、ビスとか釘等の固着具が挿通される取付孔１０ｐが明けられている。
【００４９】
また、図１５、図１６に示すように、各分割体９は、複数の受口３ａ、３ａ内に挿入された複数の通水管１、１に渡るように形成されてもよい。こうすることで、通水管１、１の抜脱の防止を、まとめて行なうことができる。ところで、図１５は、通水管１、１が、縦に並ぶ場合を示し、図１６は、例えばヘッダー（湯水の分岐供給に用いられる接続具）のように、通水管１、１が、横に並ぶ場合を示すが、勿論、各分割体９は、この通水管１、１が、縦および横に並ぶ場合に、それら通水管１、１に渡るように形成されても構わない。
【００５０】
また、以上に示す実施の形態においては、接続具２は、接続具本体３と、抜脱防止体４すなわち各分割体９とが別部材からなっているが、複数（例えば二つ）の分割体９、９の内の一つの分割体９が、接続具本体３から延設されるようにしてその接続具本体３と一体に形成され、他の分割体９が、接続具本体３とは別体となっていてもよい。この場合には、各分割体９の内側に設けられた係止爪９ａ、９ａは、複数の分割体９、９が相対的に近接して締結されることで、受口３ａ内に挿入された通水管１の外周面に係合して、その通水管１の抜脱を防止することになる。そして、この接続具に通水管１を接続する接続方法は、始めに、接続具本体３の受口３ａに、通水管１を挿入する。その後、各分割体９を、相対的に近接させて締結するようにして、分割体９に設けられた係止爪９ａ、９ａを通水管１の外周面に係合させる。こうして、通水管１は、この接続具に接続される。この接続具によると、抜脱防止体４は、受口３ａ内に挿入された通水管１の外周面を挟むように相対的に近接する複数の分割体９、９によって構成されている。そして、それら分割体９、９が相対的に近接して締結されることで、係止爪９ａ、９ａが、接続具本体３の受口３ａ内に挿入された通水管１の外周面に係合して、その通水管１の抜脱を防止する。すなわち、係止爪９ａ、９ａが設けられた複数の分割体９、９が近接することで、それら分割体９、９が通水管１の外周面を強く挟み、通水管１は、接続具に強固に固定される。
【００５１】
ところで、以上に例示した各接続具において、以下のようにして、通水管１を接続具に接続することもできる。すなわち、図１〜図１０に示す接続具２を例にして説明すると、図１７および図１８に示すように、接続具本体３の受口３ａに通水管１を挿入する前に、予め、例えばネジ部材１３（詳細には、ネジ部材１３およびナット１２）によって繋がった分割体９、９を、互いに離した状態で接続具本体３のフランジ部３０１に掛けておく。そして、通水管１を、分割体９、９間を通すようにして受口３ａに挿入する（図１９、図２０参照）。その後、例えばネジ部材１３をナット１２にねじ込むことで、各分割体９を、互いに近接させて締結する。ここで、分割体９、９は、通水管１を、例えばネジ部材１３（詳細には、ネジ部材１３およびナット１２）によって仮組みされた分割体９、９間を通って受口３ａに挿入可能とすべく、各分割体９、９を互いに離れた離間位置に仮支持する支持手段Ｘを備えている。そして、支持手段Ｘは、一方の分割体９から突出する弾性変形可能な突片Ｘ１と、他方の分割体９に設けられて前記突片Ｘ１を支持する支持部Ｘ２とからなる。図示実施の形態においては、突片Ｘ１は、被案内部９ｅを備えた表示片９ｄからなり、支持部Ｘ２は、案内面１０ｊからなっている。このように、図示実施の形態では、表示片９ｄが突片Ｘ１を兼ねているが、突片Ｘ１を、表示片９ｄとは別に、あるいは表示片９ｄに替えて、分割体９（詳細には、分割体本体１０）の側面１０ｈから突出しないように設けても構わない。この接続方法によると、分割体９、９を仮組みしたとき、支持手段Ｘによって、各分割体９、９は、互いに離れた離間位置に仮支持される（図１７、図１８参照）。そこで、通水管１を、仮組みされた分割体９、９間を通って接続具本体３の受口３ａに挿入する（図１９、図２０参照）。その後、分割体９、９を近接させて締結する。すなわち、例えばネジ部材１３をナット１２にねじ込むことで、分割体９、９を前記離間位置から近接する方向に押圧する。このとき、分割体９、９の近接を許容するように、突片Ｘ１が支持部Ｘ２に押されて弾性変形する。こうして、分割体９、９を近接させて締結することができ、この締結により、通水管１は、接続具２に固定される。そして、このように、通水管１の接続にあたって、分割体９、９を離間位置に支持した状態で仮組みしておくことで、通水管１を接続具２に簡単に接続することができる。
【００５２】
もっとも、前記支持手段Ｘについては、一つの分割体９に突片Ｘ１と支持部Ｘ２とを設け、対応するもう一つの分割体９に、前記突片Ｘ１と支持部Ｘ２とに対向するようにして支持部Ｘ２と突片Ｘ１とを設けてもよいが、一つの分割体９に複数の突片Ｘ１、Ｘ１を設け、対応するもう一つの分割体９に、前記複数の突片Ｘ１、Ｘ１と対向するようにして複数の支持部Ｘ２、Ｘ２を設けても構わない。また、支持手段Ｘを構成する突片Ｘ１は、分割体９、９を近接させるのに伴って弾性変形するように形成されなくとも、分割体９、９を近接させるのに伴って、あるいは近接させる前に、折り取られるものであってもよい。また、支持手段Ｘは、各分割体９、９を離間位置に仮支持するように分割体９、９間に配置されて、取り外し可能なスペーサーからなっていても構わない。
【図面の簡単な説明】
【００５３】
【図１】この発明の一実施の形態の、接続具本体の断面図である。
【図２】同じく、分割体の側面図である。
【図３】同じく、図２におけるＡ矢視図である。
【図４】同じく、図３におけるＢ−Ｂ線による断面図である。
【図５】同じく、図３におけるＣ−Ｃ線による断面図である。
【図６】同じく、接続具本体に通水管を挿入した状態を示す断面図である。
【図７】同じく、接続具本体に分割体を組み付ける途中の段階を示す正面図である。
【図８】同じく、図７におけるＤ−Ｄ線による断面図である。
【図９】同じく、接続具本体に分割体を組み付けた状態を示す断面図である。
【図１０】同じく、図９におけるＥ−Ｅ線による断面図である。
【図１１】この発明の他の実施の形態の、図９相当図である。
【図１２】同じく、図１１におけるＦ−Ｆ線による断面図である。
【図１３】同じく、図１１におけるＧ−Ｇ線による断面図である。
【図１４】同じく、図１１におけるＨ−Ｈ線による断面図である。
【図１５】この発明のさらに他の実施の形態の、正面図である。
【図１６】この発明のさらに他の実施の形態の、側面図である。
【図１７】分割体を仮組みした状態を示す正面図である。
【図１８】図１７におけるＪ−Ｊ線による断面図である。
【図１９】分割体を仮組みした後に、接続具本体に通水管を挿入した状態を示す正面図である。
【図２０】図１９におけるＫ−Ｋ線による断面図である。
【図２１】従来の接続具を示す断面図である。
【符号の説明】
【００５４】
１  通水管
２  接続具
３  接続具本体
３ａ  受口
３ｂ  掛止部
４  抜脱防止体
５  パッキン（止水部材）
９  分割体
９ａ  係止爪
９ｂ  規制部
９ｃ  被掛止部
９ｄ  表示片
１０ｋ  ガイド面
３０１  フランジ部
９０１  凹部
９１１  第１の規制部（規制部）
９１２  第２の規制部（規制部）
９１３  第３の規制部（規制部）
９１４  第４の規制部（規制部）
Ｘ  支持手段
Ｘ１  突片
Ｘ２  支持部
【図１】
0004614861.tif 000002
【図２】
0004614861.tif 000003
【図３】
0004614861.tif 000004
【図４】
0004614861.tif 000005
【図５】
0004614861.tif 000006
【図６】
0004614861.tif 000007
【図７】
0004614861.tif 000008
【図８】
0004614861.tif 000009
【図９】
0004614861.tif 000010
【図１０】
0004614861.tif 000011
【図１１】
0004614861.tif 000012
【図１２】
0004614861.tif 000013
【図１３】
0004614861.tif 000014
【図１４】
0004614861.tif 000015
【図１５】
0004614861.tif 000016
【図１６】
0004614861.tif 000017
【図１７】
0004614861.tif 000018
【図１８】
0004614861.tif 000019
【図１９】
0004614861.tif 000020
【図２０】
0004614861.tif 000021
【図２１】
0004614861.tif 000022